(57)【特許請求の範囲】
【請求項１】
排水樋門（２）を有する排水路に設置される排水設備であって、
前記排水樋門（２）に設置された排水のための排水ポンプ装置（３）と、
前記排水ポンプ装置（３）の一部を構成し、前記排水ポンプ装置（３）に設置された昇降装置により昇降可能な排水ポンプ（１２）と、
前記排水樋門（２）に設けられ前記排水ポンプ装置（３）の吸い込み口側水路を囲繞した水槽（５）と、
前記排水樋門（２）に設けられ自然排水可能な排水樋門ゲート（７）と、
前記排水ポンプ（１２）の吐出口側に設けられ、前記排水樋門（２）に昇降自在に設けられて開閉自在な制水扉（１７）を有する制水装置（４）と、
前記制水扉（１７）の吐出口側に配置された導管（２６）と、
前記導管（２６）の吐出口側に設けられ自然排水時は開状態になって流水が通過可能となり、強制排水時の前記排水ポンプ（１２）運転休止時は閉状態になって前記排水ポンプ（１２）内の流水通過を防止する逆止弁（２７）と
からなる排水路の排水設備。
【請求項２】
排水樋門（２）を有する排水路に設置される排水設備であって、
前記排水樋門（２）に設置された排水のための排水ポンプ装置（３０）と、
前記排水ポンプ装置（３０）の一部を構成し、前記排水ポンプ装置（３０）に設置された昇降装置により昇降可能な排水ポンプ（３２，５０）と、
前記排水樋門（２）に設けられ前記排水ポンプ装置（３０）の吸い込み口側水路を囲繞した水槽（５）と、
前記排水樋門（２）に設けられ自然排水可能な排水樋門ゲート（７）と、
前記排水ポンプ（３２，５０）の吐出口側に配置され水路底部（３１）に固定された着脱管（３３ａ）を有し、前記排水ポンプ（３２，５０）の昇降時に前記排水ポンプ（３２，５０）を着脱する着脱装置（３３）と、
前記着脱管（３３ａ）の吐出側に取り付けられ、内部に回転自在に設けられた開閉弁（４１）により排水流れをコントロールする開閉弁装置（３４）と、
前記開閉弁装置（３４）の吐出口側に配置された導管（４６）と、
前記開閉弁装置（３４）の吐出口側に設けられ自然排水時は開状態になって流水が通過可能となり、強制排水時の前記排水ポンプ（３２，５０）運転休止時は閉状態になって前記排水ポンプ（３２，５０）内の流水通過を防止する逆止弁（２７）と
からなる排水路の排水設備。
【請求項３】
請求項１又は２に記載の排水路の排水設備において、
前記排水ポンプ（１２，３２）は、使用時に羽根車を駆動する主軸の軸線が略水平である横軸水中ポンプである
ことを特徴とする排水路の排水設備。
【請求項４】
請求項１又は２に記載の排水路の排水設備において、
前記水槽（５）の底部は、前記排水路の底部と同じ高さになっている
ことを特徴とする排水路の排水設備。
【請求項５】
請求項２に記載の排水路の排水設備において、
前記排水ポンプ（５０）は、使用時に羽根車を駆動する主軸の軸線が略鉛直である立軸水中ポンプである
ことを特徴とする排水路の排水設備。
【請求項６】
請求項１又は２に記載の排水路の排水設備において、
前記排水路の一部を分岐して導水路を形成し、この導水路を前記水槽（６４）となし、前記排水ポンプ装置（６２）および前記制水装置（６３）を前記水槽（６４）に設置した
ことを特徴とする排水路の排水設備。
【請求項７】
請求項１又は２に記載の排水路の排水設備において、
前記水槽（５，６４）に流れてくる塵芥類を除去するための除塵装置（１１，６６）を設けた
ことを特徴とする排水路の排水設備。
【発明の詳細な説明】
【０００１】
【発明の属する技術分野】
本発明は、排水路の排水樋門に関する設備であって、河川、水路等の排水路に設置される排水設備に関する。更に詳しくは、排水樋門に排水ポンプ装置と自然排水のためのゲートおよび制水装置を有する排水路の排水設備に関する。
【０００２】
【従来の技術】
海と河川の境界部あるいは本川と支川との境界部に設けられる排水樋門のゲートは、通常は水位が高い上流の水を下流に流すため開放されているが、例えば下流の本川の水位が高くなって逆流する場合は閉じなければならない。通常はこのように支川側（内水側）の水位が本川側（外水側）の水位より高くなっており、支川側から本川側に向かって自然排水が行われる。
【０００３】
また、逆に本川側の水位が支川側の水位より高くなり逆流する場合は、排水樋門のゲートを閉じ逆流を防止している。また、排水樋門のゲートにポンプを組み込んだゲートポンプ（登録商標）が知られ、使用されている。その場合は、本川側の水位が支川側の水位より高くなり逆流する場合は、排水樋門のゲートポンプを閉じ、ポンプで強制的に排水を行っている。従来から自然排水はゲートを開いて行い、逆流（内水側水位が規定水位以上になるとき）のときはポンプで強制排水を行っている。また、ゲートポンプにおいては、排水運転操作を停止した場合に、排水ポンプの吐出口から排水がポンプ内に逆流しないように逆止弁がゲートポンプに設けられている。
【０００４】
しかし、強制排水を行った直後に、この逆止弁に塵芥類が絡まったりするおそれがあり、また、ポンプ部分に外的な力が働き部分的に破損するおそれもある。このようなことを避けるため、特に堤防の一部とされている樋門のゲートについては、高い水準の止水性が要求されている。従来実施されているゲートポンプは、ポンプをゲートに取り付けるための開口部を有しているが、運転停止時に外水の逆流を防止する装置として、前述のようにポンプの吐出側に上部ヒンジで開閉するフラップ形式の逆止弁が取り付けられるのみであった。
【０００５】
この逆止弁の止水性能を、完全にする等更に改善する余地があった。このように、自然排水がスムースに行え、且つ、ポンプ側の機能を満足しつつトラブル処理もスムースに行える設備が要望されていた。
【０００６】
【発明が解決しようとする課題】
本発明は前述のような背景のもとに問題点を解決するために創案されたもので、以下の目的を達する。
本発明の目的は、通常時（外水位より内水位が高い場合）、ポンプとは独立して設置された樋門ゲートによって、ポンプ側の排水流れを停止させても自然排水を可能とする排水路の排水設備の提供にある。
本発明の他の目的は、ポンプに異常が生じたとき自然排水のための樋門ゲートを閉め、ポンプ側の制水扉を閉じることにより逆流を防止し、止水性を高めてポンプを保護しポンプの保守点検を容易にした排水路の排水設備の提供にある。
本発明の更に他の目的は、自然排水のための樋門ゲートを閉じても、ポンプによる強制排水が可能であるとともに、ポンプ側で自然排水を可能とした排水路の排水設備の提供にある。
本発明の更に他の目的は、自然排水のときポンプを使用しない場合は、地上にポンプのみを引き上げ、待機あるいは保管ができる構成にした排水路の排水設備の提供にある。
【０００７】
本発明の更に他の目的は、樋門近傍に塵芥類の侵入を防止した水槽を設け、底部が排水路と同じ高さの水槽に掘り下げの必要なく横軸水中ポンプの設置を可能にした排水路の排水設備の提供にある。
【０００８】
【課題を解決するための手段】
本発明は、以下のような解決手段により前記課題を解決する。
即ち、本発明の排水路の排水設備は、
排水樋門（２）を有する排水路に設置される排水設備であって、
前記排水樋門（２）に設置された排水のための排水ポンプ装置（３）と、
前記排水ポンプ装置（３）の一部を構成し、前記排水ポンプ装置（３）に設置された昇降装置により昇降可能な排水ポンプ（１２）と、
前記排水樋門（２）に設けられ前記排水ポンプ装置（３）の吸い込み口側水路を囲繞した水槽（５）と、
前記排水樋門（２）に設けられ自然排水可能な排水樋門ゲート（７）と、
前記排水ポンプ（１２）の吐出口側に設けられ、前記排水樋門（２）に昇降自在に設けられて開閉自在な制水扉（１７）を有する制水装置（４）と、
前記制水扉（１７）の吐出口側に配置された導管（２６）と、
前記導管（２６）の吐出口側に設けられ自然排水時は開状態になって流水が通過可能となり、強制排水時の前記排水ポンプ（１２）運転休止時は閉状態になって前記排水ポンプ（１２）内の流水通過を防止する逆止弁（２７）とからなる。
また、本発明の他の排水路の排水設備は、
排水樋門（２）を有する排水路に設置される排水設備であって、
前記排水樋門（２）に設置された排水のための排水ポンプ装置（３０）と、
前記排水ポンプ装置（３０）の一部を構成し、前記排水ポンプ装置（３０）に設置された昇降装置により昇降可能な排水ポンプ（３２，５０）と、
前記排水樋門（２）に設けられ前記排水ポンプ装置（３０）の吸い込み口側水路を囲繞した水槽（５）と、
前記排水樋門（２）に設けられ自然排水可能な排水樋門ゲート（７）と、
前記排水ポンプ（３２，５０）の吐出口側に配置され水路底部（３１）に固定された着脱管（３３ａ）を有し、前記排水ポンプ（３２，５０）の昇降時に前記排水ポンプ（３２，５０）を着脱する着脱装置（３３）と、
前記着脱管（３３ａ）の吐出側に取り付けられ、内部に回転自在に設けられた開閉弁（４１）により排水流れをコントロールする開閉弁装置（３４）と、
前記開閉弁装置（３４）の吐出口側に配置された導管（４６）と、
前記開閉弁装置（３４）の吐出口側に設けられ自然排水時は開状態になって流水が通過可能となり、強制排水時の前記排水ポンプ（３２，５０）運転休止時は閉状態になって前記排水ポンプ（３２，５０）内の流水通過を防止する逆止弁（２７）とからなる。
【０００９】
また、前記排水ポンプは、使用時に羽根車を駆動する主軸の軸線が略水平である横軸水中ポンプであり、前記排水樋門に昇降自在に設けられていてもよい。即ち、本発明でいう横軸水中ポンプは、羽根車を駆動する主軸の軸線が略水平状態で使用する軸流ポンプである。水路底により近い位置に前記横軸水中ポンプを設置できる効果があり、水面上に持ち上げておくことも可能である。
【００１０】
更に、前記水槽の底部は前記排水路と同じ高さになっていてもよい。横軸水中ポンプを設置するのに効果的である。更に、前記制水扉は、前記排水樋門に昇降自在に設けられ開閉されるようにしてもよい。排水ポンプとは独立した構成にしているので、前記排水ポンプは制水扉の制約なしに昇降させることができる点で効果的である。
【００１１】
更に、前記制水扉は、前記排水ポンプ装置に回転自在に設けられ開閉されるようにしてもよい。排水ポンプ装置がコンパクトになる効果がある。更に、前記排水ポンプは、前記排水ポンプ装置の固定部から切り離し排水樋門上方へ引き上げが可能な構成となっていてもよい。前記排水ポンプのみを水面上に引き上げることができるので、引き上げ重量が軽くなり保守点検も容易となる効果がある。
【００１２】
更に、前記排水ポンプは、使用時に羽根車を駆動する主軸の軸線が略鉛直の立軸水中ポンプであってもよい。即ち立軸水中ポンプは、羽根車を駆動する主軸の軸線を略鉛直状態で使用する軸流ポンプ、又は斜流ポンプである。くぼみの或水路あるいは方向の異なる水路に設置するのに効果的である。
【００１３】
更に、前記排水路の一部を分岐し、この排水路を前記水槽となし、前記排水ポンプ装置および前記制水装置を設けてもよい。水路幅の狭い排水路に適用すると効果的である。更に、前記水槽の吸い込み側に除塵装置を設けてもよい。塵芥類の侵入防止に効果がある。
【００１４】
【発明の実施の形態】
以下、本発明の実施の形態１を図面に従って説明する。図１は、本発明の排水設備の全体構成を示した平面図である。図２及び図３は、その正面図であり、図２は図１のＡ−Ａ断面図を、図３は図１のＢ−Ｂ断面図を示している。排水設備１の基体をなす排水樋門２に各装置が設けられている。排水は排水路を支川側の水路イから本川側の水路ロへ向かって自然流として流れている。
【００１５】
コンクリートで構成される排水樋門２は変則的な矩形状の門体を構成している。排水樋門２は排水路を横切る状態で設けられており、この排水樋門２の排水路壁側に２台の排水ポンプ装置３および制水装置４と、各々の排水ポンプ装置３の吸い込み口側の水路を囲繞する構成で水槽５が設けられている。なお、２台の排水ポンプ装置３は、片側だけの１台であっても良い。
【００１６】
また、排水樋門２の中央部水路底側には排水口６が設けられていて、この排水口６を被覆する状態で樋門ゲート７が開閉自在に設けられている。排水口６は略四角形または略長方形であり、樋門ゲート７もこの形状に合わせ略四角形または略長方形となっている。この樋門ゲート７はこの排水樋門２に沿って上下方向に移動し開閉するようになっていて、この排水樋門２の上部には、樋門ゲート７の開閉動作のための開閉装置８が設けられている。開閉装置８は、ハンドル等の手動、又は電動機で駆動されるものであり、そ構造、機能は公知であり、かつ本発明の要旨でもないのでその説明は省略する。
【００１７】
樋門ゲート７は、排水樋門２に埋設された戸当金具９をガイドにして上下方向に移動するように構成され、樋門ゲート７の開閉はラック棒１０によって行われる。通常、排水樋門２は、支川側の河川等の水路イと、本川側ロの境界部に設置されていて、排水は前述のようにイからロの方向に自然流として流れる。従って、自然流として排水されているとき、樋門ゲート７は通常は開放された状態となっている。
【００１８】
図２は樋門ゲート７が閉じている状態を示しているが、開放状態のときは、排水樋門２上部に設けられた開閉装置８の操作でラック棒１０が上下動し、このラック棒１０に連結された樋門ゲート７が上方に移動し開放状態となる。樋門ゲート７が開放されると、水は排水口６を自然流として通過し排水される。
【００１９】
次に、排水ポンプ装置３を図３により説明する。樋門ゲート７に並列してこの樋門ゲート７を挟む状態で、２つの排水ポンプ装置３が排水樋門２の水路壁側に設置されている。この排水ポンプ装置３の吸い込み口側に、コ字状に枠体を構成するコンクリートで囲繞された水槽５を形成している。樋門ゲート７への自然排水とは別にこの水槽５へも排水が流れるようになっている。この水槽５の支川側イには除塵装置１１が設けられており、支川側イから流れてくる塵芥類を除去し、水槽５内に塵芥類が侵入するのを防止している。
【００２０】
除塵装置１１はスクリーンを主体にした板状の簡素な構成になっており、除塵装置１１に絡みついた塵芥類は、水中にある状態で除去されるか、あるいは塵芥類の引上げ装置（図示せず）により必要があれば水面上に持ち上げて処理される。この除塵装置１１は、排水ポンプ装置３側の水槽５の吸い込み側にのみ設けられている。通常、大半の自然排水は樋門ゲート７を通過する。従って、除塵装置１１は、小形のタイプで引き上げ装置を具備しない簡素なものとなっている。
【００２１】
水槽５内に排水ポンプ装置３が設置されていて、排水ポンプ装置３には、排水ポンプとして回転軸が略水平状態で使用される横軸水中ポンプ１２が採用されている。横軸水中ポンプ１２は、羽根車を駆動する主軸の軸線を略水平状態で使用する軸流ポンプである。この横軸水中ポンプ１２は排水樋門２に設置されたガイド１３に沿って、上下方向に移動可能である。横軸水中ポンプ１２には、吐出口側に昇降案内のためのガイド部１２ａが設けられていて、このガイド部１２ａが排水樋門２のガイド１３に挟み込まれて、横軸水中ポンプ１２を上下方向に案内する。
【００２２】
この横軸水中ポンプの上下方向の案内動作は、排水樋門２上部に設けられた昇降装置１４によって行われる。この昇降装置１４にはラック棒１５が連結して、このラック棒１５に噛み合う昇降装置１４のピニオン（図示せず）を回転駆動させて、横軸水中ポンプ１２を上下方向に移動させている。通常この横軸水中ポンプ１２は排水路底部１６に降下させているが、点検等の必要が生じたときに上昇させる。また、この横軸水中ポンプ１２の吐出口側には、制水装置４が設けられている。
【００２３】
この制水装置４は横軸水中ポンプ１２内を流れる排水を制水するための装置で、本流側からの逆流があったときに、この制水装置４の制水扉１７を閉じて制水を行う。制水扉１７は、通常は開放状態である。この制水装置４は、横軸水中ポンプ１２の吐出口側と排水樋門２との間に、制水扉１７が挟まれた状態で設置されている。排水樋門２の上部に設けられた開閉装置１８によって、制水扉１７は上下方向に移動可能な構成になっている。
【００２４】
制水扉１７の上部に設けられている吊り金具１９に吊りピン２０を介してラック棒２１が連結されていて、このラック棒２１が開閉装置１８のハンドル１８ａの操作によって上下方向に移動し、制水扉１７を昇降させる。ハンドル１８ａの操作構成は、公知の手段、例えば歯車等を介したものである。この構成は、横軸水中ポンプ１２の昇降動作の場合も同様である。本形態においては開閉装置１８の操作をハンドル１８ａとしたが、モータ駆動による操作であってもよい。
【００２５】
また、ラック棒２１、１５は開閉装置１８および昇降装置１４の上部に設けられた各々のラックカバー２２，２３に被覆されている。制水扉１７の昇降案内は、排水樋門２に設けられたガイド２４に沿って行われる。また、この制水扉１７には水密装置２５が取り付けられていて、ガイド２４に沿って移動するとき密着して水密状態を維持する。このため、制水扉１７が閉じたときには水漏れは完全に防止される。
【００２６】
台風時のような場合、樋門ゲート７を閉じ、横軸水中ポンプ１２による強制排水を行う、万一、ポンプ部分にトラブルが発生した場合は、横軸水中ポンプ１２側の制水扉１７を閉じて逆流を完全に防止する。しかし、水位が低い場合、例えばイ側とロ側の水位に高低差があまりないような場合、自然流と逆流とが交互になされるが、このときは樋門ゲート７のみを閉じ横軸水中ポンプ１２側の制水扉１７を開放にしておく。
【００２７】
逆流のときは強制排水を行い、また、通常の流れのときは少量の自然排水として対応する。逆に、横軸水中ポンプ１２等にトラブルが生じたときは、樋門ゲート７及び制水扉１７を閉じ、排水の流れを遮断する。水槽５は静水状態になるので、横軸水中ポンプ１２を地上に引き上げて点検等を行うとよいが、水中での作業も安全に行うことができる。また、この横軸水中ポンプ１２は、排水路が長時間通常の安定した自然排水の状態にあるとき、地上に引き上げ保管される。
【００２８】
また、横軸水中ポンプ１２の吐出口側には、導管２６が設けられており、この導管２６の端面にフラップ形の逆止弁２７が設けられている。この逆止弁２７は、自然排水時には横軸水中ポンプ１２から導管２６を通過して流れる排水の流水圧で開放状態となり、流水通過可能の状態となる。強制排水のポンプ運転休止時には、逆流の流水圧で閉状態になる。
【００２９】
閉状態のとき横軸水中ポンプ１２内の排水通過を防止する。このように制水扉１７を設置した上に逆止弁２７も設けているので、逆流に対しその防止の確実性を高めている。  流水には、流木やビニール等の塵芥類が流れており、この塵芥類が横軸水中ポンプ１２により強制排水を行った直後に、横軸水中ポンプ１２吐出口の逆止弁２７に噛み込むことがある。また、外水側に浮遊している塵芥類による衝突等によって、ポンプ部分に異常が発生することもある。このようにポンプ設備のトラブルで逆止弁等の装置が機能せず、外水側の流水が内水側に継続して流れ込むおそれがある。
【００３０】
本発明は、これらの問題点を考慮し、このトラブルを避けるため、また、トラブルが生じたときの処置を容易にするために開発されたもので、ポンプの吸い込み口側に水流を遮断するための制水扉を設けた他に排水樋門にもゲートを設けた点にある。本実施の形態においては、横軸水中ポンプ１２を採用しているが、立軸水中ポンプに比べ、ポンプ運転時の渦が発生しない最低連続運転水深として、水路の流下最低水深を設定する上で有利である。なお、ここでいう、立軸水中ポンプは、羽根車を駆動する主軸の軸線を略鉛直状態で使用する軸流ポンプ、又は斜流ポンプである。
【００３１】
即ち、各種規格により異なるが一般的に立軸水中ポンプの場合、流下最低水深Ｈ１は２．５Ｄと言われている（Ｄ＝ポンプ口径）。また、吸い込み高さは、概ポンプ口径と同じく概略Ｄである（図８参照）。これに対して横軸水中ポンプ１２の場合のＨ１は、通常は（Ｄ＋３００mm）である。このことは、排水路底の高さに変化がなければ、横軸水中ポンプ１２の方がポンプ吸い込み口側の水路底に近い位置に設置できることを意味している（図４参照）。
【００３２】
これは低水位運転が可能となり、水路底を掘り下げる必要がないからである。排水路の底を掘り下げると、どうしても土砂等の堆積が常時発生して、その除去の必要性と設備の損傷のおそれがあるなど不具合点が多い。本実施の形態１の場合は、横軸水中ポンプを採用しているのでこれらの問題点を避けることができる。
【００３３】
また、横軸水中ポンプ１２は、案内羽根を羽根車の前、即ち吸い込み口側に配置した前置案内羽根型であるので、ポンプ内部の通水断面を大きくすることができ、ポンプ内の排水通過性がよい利点もある。これに対して立軸水中ポンプの場合、このポンプを効果的に設置するには、吸い込み口側の水路底を掘り込む必要がある。このように通常の排水路に設置する排水ポンプとしては、横軸水中ポンプの方が効果的である。
【００３４】
（実施の形態２）
次に着脱できるタイプの排水ポンプ装置を適用した場合の排水設備について説明する。図４は、本発明の実施の形態２を示し、着脱できる排水ポンプ装置３０を取り付けた排水設備の正面図である。図５は、図４のＸ矢視図である。この排水ポンプ装置３０の設置位置は、前述の実施の形態１と同様に排水樋門２の両サイドに設けられていて、排水樋門２の水路底部３１に固定されている。
【００３５】
この排水ポンプ装置３０は、横軸水中ポンプ３２とこの横軸水中ポンプ３２を昇降させる昇降装置１４，水路底に固定されている着脱装置３３、また、横軸水中ポンプ３２内を通過する排水流れをコントロールする開閉弁装置３４およびこの開閉弁装置３４の開閉操作を行う操作装置３５、更に排水案内のための導管２６および逆止弁２７等から構成されている。
【００３６】
中央部にあって排水樋門２底部に固定さている着脱装置３３の着脱管３３ａには、吸い込み側端面に着脱可能に横軸水中ポンプ３２が設けられている。この横軸水中ポンプ３２の着脱方法を図４から図６に従って説明する。着脱管３３ａと排水樋門２上部との間に棒状の昇降ガイド３６が２本設けられていて、横軸水中ポンプ３２はこの昇降ガイド３６に着脱アーム３７と押さえ部材３８を介して跨っている。昇降ガイド３６は、着脱管３３ａに立設され、その上端は排水樋門２の上部壁面にガイド支持具３６ａを介して固定されている。
【００３７】
着脱アーム３７は、略Ｌ字形状をなしており、２つの昇降ガイド３６を内側から凹部で押さえ横の動きを規制しており、更に、この２つの着脱アーム３７の先端に押さえ部材３８を跨がせて、横軸水中ポンプ３２の横振れを防止している。また、この横軸水中ポンプ３２は着脱アーム３７の支点３７ａを介して若干昇降方向に揺動する。
【００３８】
一方、排水樋門２上部には昇降装置１４が設けられていて、横軸水中ポンプ３２の昇降操作を行う。昇降装置１４にはラック棒１５が設けられていて、その一端が横軸水中ポンプ３２の吊り金具３９に吊りピン４０を介して取り付けられている。このラック棒１５には、ラックが昇降方向に設けられていて、昇降装置１４の歯車（図示せず）に噛み合っている。このラック棒１５は昇降装置１４のハンドル操作により歯車を介して昇降方向に移動する。
【００３９】
図４の状態は、横軸水中ポンプ３２が下降し、着脱管３３ａに合体した状態を示しているが、横軸水中ポンプ３２を取り外すときは、昇降装置１４により横軸水中ポンプ３２をそのまま上方へ引き上げ、着脱管３３ａより分離させる。このとき横軸水中ポンプ３２は、昇降ガイド３６により設置状態の姿勢を維持しながらラック棒１５を介して上方に引き上げられる。
【００４０】
また、着脱管３３ａは、排水樋門２の水路底に固定されているので、動くことなく静止したままである。この状態を示したのが、図６である。即ち、着脱管３３ａ以下の装置を水中に残し横軸水中ポンプ３２のみ水面上に引き上げる。このようにすることによって、点検等においては、排水ポンプ装置３全てを回収する必要がなく、横軸水中ポンプ３２のみを引き上げればよいので、昇降装置１４による引き上げの負荷は小さく、また、メンテナンスも容易である。
【００４１】
点検等が終われば、昇降ガイド３６を介して横軸水中ポンプ３２を降ろし元の位置に設置する。着脱管３３ａの端面に対しては、着脱アーム３７の支点３７ａを中心に横軸水中ポンプ３２が揺動して下がり端面同士が密着するようになっている。このように横軸水中ポンプ３２は着脱管３３ａに、昇降ガイド３６、ラック棒１５および横軸水中ポンプ３２の自重によって押圧された状態で合体される。
【００４２】
また、着脱管３３ａの吐出側端面に開閉弁装置３４が取り付けられていて、内部に回転自在に設けられた開閉弁４１により排水流れをコントロールしている。この開閉弁装置３４は、図７に示すように、弁管４２中央部に弁管４２径方向に設けられた軸４３を中心に回転可能な開閉弁４１が設けられていて、この開閉弁４１の回転角度によって排水量をコントロールできるようになっている。
【００４３】
この開閉弁４１の回転操作は、排水樋門２上部に設けられた操作装置３５によって駆動軸４４を回転させて行う。弁管４２に軸４３と直結した接続継手４５が設けられていて、この接続継手４５に駆動軸４４が連結し開閉弁４１を回転させる。この開閉弁４１は、閉じた状態から９０度回転すると最大の開放状態となる。
【００４４】
この開閉弁４１は通常開放状態にあるが、横軸水中ポンプ３２吐出口側に設けられた逆止弁２７にトラブルが生じた場合、あるいは横軸水中ポンプ３２自体にトラブルが生じた場合に、横軸水中ポンプ３２内の逆流を防止するため閉じる。この開閉弁４１は、実施の形態１の制水扉１７に相当するもので、直線移動による開閉でなく、回転して開閉する点での相違はあるが、制水機能としては同じである。
【００４５】
弁管４２の吐出口側には導管４６が接続されていて、その導管４６の吐出口側の端面に逆止弁２７が設けられている。この逆止弁２７は通常の自然排水のときは、流水圧で開放されるが、逆流の場合には、逆流を防止するため閉じる。
【００４６】
（実施の形態３）
図８は、本発明の実施の形態３を示し、前述した実施の形態２の基本構成に横軸水中ポンプ３２に代えて立軸水中ポンプ５０を適用した場合の例である。この場合もポンプ部分は、前述した内容と同様に着脱管３３ａに対して分離が可能な着脱式であるが、立軸水中ポンプ５０の吸い込み口が水路底に面していることで、前述した横軸水中ポンプ３２と異なる。この場合は、前述のとおり、水底が同じ高さで連続している水路において低水深連続運転を行うためには、少なくとも吸い込み口側の水槽底部を掘り込む必要がある。
【００４７】
また、ポンプ内を通過させる自然排水がスムースに行えない難点はある。しかし、ポンプ吸い込み口近傍の水路が横方向にある場合や、ポンプ吸い込み口部分の水路が窪地になっているような場合には有効である。
【００４８】
（実施の形態４）
前述した実施の形態３までの説明は、図９に示すように、分岐していない場合の排水路に適用した設備の例であるが、図１０は、排水路の一部を分岐させ導水路を設けた場合を示した例である。この場合、排水樋門６０は分割された状態になるが、樋門ゲート６１を元の排水路の排水樋門６０に設置し、排水ポンプ装置６２および制水装置６３を分岐した導水路に設けている。
【００４９】
この分岐された導水路は水槽６４の形態をなしている。また、逆止弁６５は前述の形態と同じように排水ポンプ装置６２の吐出口側に設けられている。水槽６４の吸い込み口側に除塵装置６６を設けていて、本形態の基本の構成は前述の形態と同じである。従って、詳細構造も前述の例に準じるので、個々の細部説明は省略する。本形態の場合は、分岐のためのスペースとコンクリート等の基礎設備にコストがかかる難点があるが、水路幅の狭い場合に効果のある構成である。また、この例の場合は、導水路吸い込み口に切り替えゲート６７を設けている。排水路の流れの状況をみてゲートの使い分けをするとよい。
【００５０】
（その他の実施の形態）
以上、本発明の実施の形態を説明したが、本発明の対象はこれに限定されるものではない。例えば、制水装置の制水扉を実施の形態１では、直線式に開閉する制水扉として、また、実施の形態２では、回転式に開閉する開閉弁として各々説明したが、逆の構成にしてもよい。
【００５１】
また、前述した実施の形態１では、樋門ゲート７はコンクリートで構成される排水樋門２の支川側の河川等の水路イに配置されたものであった。しかしながら、樋門ゲート７を排水樋門２の本川側の水路ロ側に配置しても同様の機能を果たすので、樋門ゲート７を排水樋門２の本川側の水路ロ側に配置しても良い。同様に、制水扉１７は、水槽５の支川側の河川等の水路イに配置されたものであったが、本川側の水路ロ側に配置しても良い。
【００５２】
【発明の効果】
以上説明したように、排水ポンプ装置の制水扉とは別に独立してゲートを排水樋門に設けたことで、ポンプ側にトラブルが生じてもポンプ側の制水扉のみを閉じて点検等ができる。この結果、排水設備は安定し保護される構成のものとなり、また、安全にメンテナンスができ、維持のし易い構成の設備となった。
【図面の簡単な説明】
【図１】図１は、本発明の排水設備の全体構成を示した平面図である。
【図２】図２は、図１のＡ−Ａ断面図である。
【図３】図３は、図１のＢ−Ｂ断面図である。
【図４】図４は、実施の形態２の排水ポンプ装置を示す断面図である。
【図５】図５は、図４のＸ矢視図である。
【図６】図６は、図４における横軸水中ポンプを分離したことを示す断面図である。
【図７】図７は、図４のＣ−Ｃ断面図で、開閉弁を示す。
【図８】図８は、実施の形態３の排水ポンプ装置を示す断面図である。
【図９】図９は、実施の形態１から３に示す本発明の排水設備の全体図である。
【図１０】図１０は、実施の形態４に示す本発明の排水設備の全体図である。
【符号の説明】
１…排水設備
２…排水樋門
３…排水ポンプ装置
４…制水装置
５…水槽
７…樋門ゲート
８…開閉装置
１２、３２…横軸水中ポンプ
１７…制水扉
２７…逆止弁
３３…着脱装置
４１…開閉弁
５０…立軸水中ポンプ
【図１】
0004486765.tif 000002
【図２】
0004486765.tif 000003
【図３】
0004486765.tif 000004
【図４】
0004486765.tif 000005
【図５】
0004486765.tif 000006
【図６】
0004486765.tif 000007
【図７】
0004486765.tif 000008
【図８】
0004486765.tif 000009
【図９】
0004486765.tif 000010
【図１０】
0004486765.tif 000011